(57)【要約】【課題】水生植物の活着性能を良好に確保すること。【解決手段】海藻類や珪藻類等の水生植物を着生させる着生物質を、シート状体の少なくとも片面に付着させた。このようにして、基材の表面にシート状体を張設することにより、同シート状体の少なくとも片面に付着させた着生物質により、海藻類や珪藻類等の水生植物を活着させることができる。この際、シート状体は、基材の表面積の大きさや表面形状に関わりなく張設することができるため、水生植物の活着性能を良好に確保することができる。【選択図】図１
2007167061.tif 000002
【特許請求の範囲】
【請求項１】
海藻類や珪藻類等の水生植物を着生させる着生物質を、シート状体の少なくとも片面に付着させてなる水生植物着生体。
【請求項２】
請求項１記載の着生物質は、貝化石であることを特徴とする水生植物着生体。
【請求項３】
請求項１又は２記載の水生植物着生体を、人工漁礁形成片の表面に張設してなる人工漁礁形成体。
【請求項４】
請求項３記載の人工漁礁形成体を、立体的に組み立ててなる人工漁礁。
【請求項５】
海藻類や珪藻類等の水生植物を着生させる着生物質をポーラスコンクリートに混練して、ポーラス状の人工漁礁形成片を形成し、同人工漁礁形成片の表面にシート状体を張設してなる人工漁礁形成体。
【請求項６】
請求項５記載の着生物質は、貝化石であることを特徴とする水生植物着生体。
【請求項７】
請求項５又は６記載の人工漁礁形成体を、支持体に連設してなる人工漁礁。
【発明の詳細な説明】
【技術分野】
【０００１】
本発明は、海藻類や珪藻類等の水生植物の着生を良好となした水生植物着生体と、同水生植物着生体を張設してなる人工漁礁形成体と、同人工漁礁形成体を立体的に組み立てて形成した人工漁礁とに関する。
【背景技術】
【０００２】
従来、人工漁礁の一形態として、鉄材と貝殻をセメントで結合させると共に、鉄材を表面に露出させたものがある（例えば、特許文献１参照）。
【０００３】
このようにして、石に較べて、同じ体積でも表面積を大きくして、海藻類や珪藻類等の水生植物の養殖効率を増大させるようにしている。
【特許文献１】特開平５−１９２０４８号公報
【発明の開示】
【発明が解決しようとする課題】
【０００４】
ところが、上記した人工漁礁では、水生植物に必要な栄養分が無い、若しくは少ないことから、水生植物が着生しないという不具合がある。
【０００５】
しかも、セメントの製造段階で微量ではあるが混入する有害な六価クロムを、水生植物が極度に忌避するため、セメント表面を長期間（例えば、十数年間）風化させた後でなければ、水生植物が着生しないという不具合がある。
【課題を解決するための手段】
【０００６】
そこで、本発明では、海藻類や珪藻類等の水生植物を着生させる着生物質を、シート状体の少なくとも片面に付着させてなる水生植物着生体を提供するものである。
【０００７】
そして、本発明は、海藻類や珪藻類等の水生植物を着生させる着生物質は、貝化石であることにも特徴を有する。
【０００８】
また、以下の人工漁礁形成体や人工漁礁を提供するものである。
【０００９】
（１）前記水生植物着生体を、人工漁礁形成片の表面に張設してなる人工漁礁形成体。
【００１０】
（２）上記（１）の人工漁礁形成体を、立体的に組み立ててなる人工漁礁。
【００１１】
（３）海藻類や珪藻類等の水生植物を着生させる着生物質をポーラスコンクリートに混練して、ポーラス状の人工漁礁形成片を形成し、同人工漁礁形成片の表面にシート状体を張設してなる人工漁礁形成体。
【００１２】
（４）上記（３）の着生物質は、貝化石であることを特徴とする水生植物着生体。
【００１３】
（５）上記（３）又は（４）の人工漁礁形成体を、支持体に連設してなる人工漁礁。
【発明の効果】
【００１４】
（１）請求項１記載の本発明に係る水生植物着生体は、海藻類や珪藻類等の水生植物を着生させる着生物質を、シート状体の少なくとも片面に付着させてなるものである。
【００１５】
このようにして、基材の表面にシート状体を張設することにより、同シート状体の少なくとも片面に付着させた着生物質により、海藻類や珪藻類等の水生植物を活着させることができる。
【００１６】
この際、シート状体は、基材の表面積の大きさや表面形状に関わりなく張設することができるため、水生植物の活着性能を良好に確保することができる。
【００１７】
（２）請求項２記載の本発明に係る水生植物着生体では、着生物質として、貝化石を採用している。
【００１８】
ここで、貝化石、特に、北海道や富山県等に広く分布する天然鉱物資源の貝化石は、珪酸・石灰・可溶性石灰を主成分として多くの亜鉛・銅・鉄・燐酸等のミネラルを含有して、水生植物の成長にとって必要な栄養塩基が十分に含まれているため、かかる貝化石をシート状体に付着させた場合には、同シート状体に水生植物が着生し易く、しかも、同シート状体を育成床として水生植物を育成することができる。
【００１９】
（３）請求項３記載の本発明に係る人工漁礁形成体では、前記水生植物着生体を、人工漁礁形成片の表面に張設してなるものである。
【００２０】
このようにして、人工漁礁形成片の表面に水生植物着生体を張設することにより、同人工漁礁形成片への水生植物の着生性を良好に確保することができる。
【００２１】
この際、人工漁礁形成片として、耐久性が強くしかも安価に製造できるコンクリート製品を使用した場合でも、水生植物着生体により人工漁礁形成片の表面を被覆することにより、同人工漁礁形成片の表面の環境を優しくすることができて、長期間風化させることなく、そのまま使用することができると共に、水生植物が生息する上での根張り性を良好となすことができて、活着性を良好に確保することができる。
【００２２】
しかも、水生植物の成長に欠かせない栄養塩をも水生植物着生体より水生植物に供給することができる。
【００２３】
さらには、人工漁礁形成体は、工場等においてプレキャスト製品として出荷することができるため、短時間に規格管理された高品質のものを安価に提供することができる。
【００２４】
（４）請求項４記載の本発明に係る人工漁礁は、人工漁礁形成体を、立体的に組み立ててなるものである。
【００２５】
このようにして、水生植物着生体を張設した人工漁礁形成体の外部表面積を可及的に広く確保して、水生植物の活着性を良好に確保することができる。
【００２６】
しかも、水生植物の成長にとって必要な栄養塩基を十分に含んでいる水生植物着生体の表面積が大きいため、アワビやサザエ等の貝類の漁礁としても有効に機能させることができる。
【００２７】
（５）請求項５記載の本発明に係る人工漁礁形成体は、海藻類や珪藻類等の水生植物を着生させる着生物質をポーラスコンクリートに混練して、ポーラス状の人工漁礁形成片を形成し、同人工漁礁形成片の表面にシート状体を張設してなるものである。
【００２８】
このようにして、ポーラス状の人工漁礁形成片の表面にシート状体を張設することにより、同人工漁礁形成片の表面にシート状体を介して海藻類や珪藻類等の水生植物を活着させることができる。
【００２９】
この際、人工漁礁形成片はポーラス状であるため、水生植物の根が食い込み易く、安定した根張り・活着性能を良好に確保することができる。
【００３０】
（６）請求項６記載の本発明に係る人工漁礁形成体は、着生物質として、貝化石を採用している。
【００３１】
特に、北海道や富山県等に広く分布する天然鉱物資源の貝化石は、珪酸・石灰・可溶性石灰を主成分として多くの亜鉛・銅・鉄・燐酸等のミネラルを含有して、水生植物の成長にとって必要な栄養塩基が十分に含まれているため、経時的にこれらが水中に溶け出して、着生した水生植物に長期的に栄養源を補給することができる。
【００３２】
（７）請求項７記載の本発明に係る人工漁礁は、上記（５）又は（６）の人工漁礁形成体を、支持体に連設してなるものである。
【００３３】
このようにして、支持体に強度と重量を保持させることにより、人工漁礁形成片を海底等に長期間にわたって安定状態に設置（沈設）することができる。
【発明を実施するための最良の形態】
【００３４】
図１に示すＡは、本発明に係る水生植物着生体であり、同水生植物着生体Ａは、海藻類や珪藻類等の水生植物を着生させる着生物質Ｂを、シート状体Ｓの少なくとも片面（本実施の形態では両面）に付着させてなるものである。W1は横幅であり、例えば、1.1ｍに設定することができる。W2は縦幅である、例えば、５.０ｍに設定することができる。
【００３５】
ここで、海藻類や珪藻類等の水生植物を着生させる着生物質Ｂとしては、硫酸鉄、硫酸マグネシウム、フライアッシュ、ベンガラ、珪藻土、パーライト、タルク、ゼオライト、貝殻の粉砕物、貝化石、泥炭、木炭、活性炭、炭素繊維等を、１種類ないしは２種類以上組み合わせて使用することができる。
【００３６】
特に、好ましくは、珪酸・石灰・可溶性石灰を主成分として多くの亜鉛・銅・鉄・燐酸等のミネラルを含有して、水生植物の成長にとって必要な栄養塩基が十分に含まれている北海道や富山県等に広く分布する天然鉱物資源の貝化石を使用することができる。
【００３７】
シート状体Ｓとしては、繊維質のシートを使用しており、後述する帯状の繊維質シート１を所定の縦幅W2で切断したものである。
【００３８】
図２は、水生植物着生体Ａを製造する水生植物着生体製造装置Ｍを示しており、同水生植物着生体製造装置Ｍは、帯状の繊維質シート１を繰り出す繰り出し部２と、同繰り出し部２の上流側において、繰り出される繊維質シート１の表面に接着剤Ｄを散布する表面側接着剤散布部３と、同表面側接着剤散布部３により散布された接着剤Ｄの上から繊維質シート１の表面に着生物質Ｂを散布する表面側着生物質散布部４と、繊維質シート１の裏面に接着剤Ｄを散布する裏面側接着剤散布部５と、同裏面側接着剤散布部５により散布された接着剤Ｄの上から繊維質シート１の裏面に着生物質Ｂを散布する裏面側着生物質散布部６と、繊維質シート１の表・裏面にそれぞれ散布した接着剤Ｄと着生物質Ｂとを乾燥処理して、繊維質シート１に着生物質Ｂを固定する乾燥処理部７とを具備している。８,９，10はそれぞれ繰り出しガイドローラである。
【００３９】
このようにして、水生植物着生体製造装置Ｍでは、図２に示すように、繰り出し部２により帯状の繊維質シート１を連続的に繰り出しながら、同繊維質シート１の表面に表面側接着剤散布部３から接着剤Ｄを散布すると共に、表面側着生物質散布部４から着生物質Ｂを散布し、続いて、繊維質シート１の裏面に裏面側接着剤散布部５から接着剤Ｄを散布すると共に、裏面側着生物質散布部６から着生物質Ｂを散布し、その後、繊維質シート１の表・裏面にそれぞれ散布した接着剤Ｄと着生物質Ｂとを乾燥処理部７により乾燥処理して、繊維質シート１に着生物質Ｂを固定するようにしている。
【００４０】
そして、繊維質シート１を所定長さ毎に切断することにより、図１に示す水生植物着生体Ａを製造することができる。
【００４１】
図３は、本発明に係る第１実施形態としての人工漁礁形成体Ｅを示しており、同人工漁礁形成体Ｅは、前記した水生植物着生体Ａを、人工漁礁形成片Ｆの表面に張設してなるものである。
【００４２】
人工漁礁形成片Ｆは、コンクリートを素材とするものであり、後述する製造方法により水生植物着生体Ａと一体化されて人工漁礁形成体Ｅの一部を形成している。W3は左右幅であり、例えば、450mmに設定することができる。W4は前後幅であり、例えば、5000mmに設定することができる。W5は上下幅であり、例えば、80mmに設定することができる。
【００４３】
図４は、人工漁礁形成体Ｅの製造工程説明図であり、次に、図４を参照しながら人工漁礁形成体Ｅの製造方法について説明する。
【００４４】
（１）図４（ａ）に示すように、人工漁礁形成体Ｅを製造するための型枠11を基板12上に載置する。
【００４５】
（２）図４（ｂ）に示すように、型枠11内に水生植物着生体Ａを配置する。
【００４６】
この際、人工漁礁形成体Ｅの上面側を被覆する水生植物着生体Ａの左右側縁部は、型枠11の左右外方に張り出し状に配置しておく。
【００４７】
（３）図４（ｃ）に示すように、型枠11内にコンクリートＣを投入する。
【００４８】
（４）図４（ｄ）に示すように、型枠11内に投入したコンクリートＣの上面側に、水生植物着生体Ａの左右側縁部を折り返して、同コンクリートＣの上面を被覆する。
【００４９】
（５）型枠11内のコンクリートＣを固化（必要に応じてその後に養生）させた後に脱型する。
【００５０】
このようにして、プレキャストコンクリート製品として人工漁礁形成体Ｅを得ることができる。
【００５１】
図５は、本発明に係る第１実施形態としての人工漁礁Ｇを示しており、次に、図５を参照しながら人工漁礁Ｇの構造について説明する。
【００５２】
すなわち、人工漁礁Ｇは、四角形枠状に形成した前部支持枠体13と中途部支持枠体14と後部支持枠体15とを前後方向に間隔を開けて起立状態に配置し、これら支持枠体13,14,15の左右側部間に、前後方向に伸延させて形成した複数の前記人工漁礁形成体Ｅを、上下方向に間隔を開けて架設すると共に、これら支持枠体13,14,15の上部間に、前後方向に伸延させて形成した複数の前記人工漁礁形成体Ｅを、左右方向に間隔を開けて架設している。
【００５３】
このようにして、人工漁礁Ｇは、複数の人工漁礁形成体Ｅを立体的に組み立てることにより、水生植物着生体Ａを張設した人工漁礁形成体Ｅの外部表面積を可及的に広く確保して、水生植物の活着性を良好に確保することができるようにしている。
【００５４】
図６は、第１変容例としての人工漁礁Ｇを示しており、同人工漁礁Ｇは、三角形枠状に形成した前部支持枠体16と中途部支持枠体17と後部支持枠体18とを前後方向に間隔を開けて起立状態に配置し、これら支持枠体16,17,18間に前後方向に伸延させて形成した複数の前記人工漁礁形成体Ｅを、周縁方向に間隔を開けて架設して立体的に形成している。
【００５５】
かかる人工漁礁Ｇの場合も、水生植物着生体Ａを張設した人工漁礁形成体Ｅの外部表面積を可及的に広く確保して、水生植物の活着性を良好に確保することができる。
【００５６】
図７は、本発明に係る第２実施形態としての人工漁礁形成体Ｅを示しており、同人工漁礁形成体Ｅは、図８及び図９にも示すように、海藻類や珪藻類等の水生植物を着生させる着生物質をポーラスコンクリートＣpに混練して、ポーラス状の人工漁礁形成片Ｆを形成し、同人工漁礁形成片Ｆの表面にシート状体Ｓを張設すると共に、支持体Ｈに連設している。
【００５７】
ここで、着生物質としては、前記した貝化石等を使用することができる。
【００５８】
また、シート状体Ｓは、通気性を有するメッシュ状態のいわゆる土木ネットを用いることができる。この土木ネットは、たとえば、繊維土木開発株式会社製の土木防砂シート（SDK#1058、SDK#1080）や、東洋紡績株式会社製ラッセルシートや、同社製ストレッチファイバーシート(#4040)が好適である。
【００５９】
支持体Ｈは、矩形板状に形成した鉄筋コンクリート（プレキャストコンクリート）であり、同支持体Ｈに強度と重量を保持させて、ポーラス状の人工漁礁形成片Ｆを連設することにより、人工漁礁形成片を海底等に長期間にわたって安定状態に設置（沈設）することができるようにしている。21は、支持体Ｈに配筋した鉄筋、22は、支持体Ｈの前後端面にそれぞれ設けた把持体である。
【００６０】
図１０はポーラスコンクリートＣｐの配合割合を示している。図１０（ａ）は、モスナイトを50重量部とした場合における各混和材料の許容変動幅を示しており、水は90〜110重量部、セメントは360〜440重量部、粗骨材は1400〜1500重量部、粉鉄は30〜50重量部、ＡＥ減水材は3〜5重量部であり、これらを混合して形成したポーラスコンクリートＣｐの全空隙率は18％〜25％とするのが好ましい。
【００６１】
そして、さらに好ましくは、図１０（ｂ）にも示すように、水は100重量部、セメントは400重量部、粗骨材は1460重量部、粉鉄は40重量部、ＡＥ減水材は4重量部であり、これらを混合して形成したポーラスコンクリートＣｐの全空隙率は20％とするのが良い。なお、ここでＡＥ減水材とは、界面活性剤の一種で、コンクリートに混和することにより作業性を損なうことなく使用水量を減少させることができ、かつ空気（気泡）をコンクリート中に連行する混和材料のことをいう。
【００６２】
図１１は、人工漁礁形成体Ｅの製造工程説明図であり、次に、図１１を参照しながら人工漁礁形成体Ｅの製造方法について説明する。
【００６３】
（１）図１１（ａ）に示すように、人工漁礁形成体Ｅを製造するための型枠11を基板12上に載置する。
【００６４】
（２）図１１（ｂ）に示すように、型枠11内にシート状体Ｓを配置する。
【００６５】
この際、人工漁礁形成体Ｅの上面側を被覆するシート状体Ｓの左右側縁部は、型枠11の左右外方に張り出し状に配置しておく。
【００６６】
（３）図１１（ｃ）に示すように、型枠11内にポーラスコンクリートＣpを投入する。ここで、ポーラスコンクリートＣpには、海藻類や珪藻類等の水生植物を着生させる着生物質を混練している。
【００６７】
（４）図１１（ｄ）に示すように、型枠11内に投入したポーラスコンクリートＣpの上面側に、水生植物着生体Ａの左右側縁部を折り返して、同ポーラスコンクリートＣpの上面の左右側縁部を被覆する。
【００６８】
（５）図１１（ｅ）（ｆ）に示すように、ポーラスコンクリートＣpの中央上部にプレキャストコンクリートである支持体Ｈを載置し、ポーラスコンクリートＣpを支持体Ｈと一体的に固化（必要に応じてその後に養生）させた後に脱型する。
【００６９】
このようにして、プレキャストコンクリート製品として人工漁礁形成体Ｅを得ることができる。
【００７０】
そして、人工漁礁形成体Ｅは、着生物質を混練したポーラスコンクリートＣpの周面をシート状体Ｓにより被覆しているため、水生植物がシート状体Ｓを介してポーラスコンクリートＣpに根を食い込ませることができて、安定状態に根張り活着できる。
【００７１】
この際、シート状体Ｓは、ポーラスコンクリートＣpの表面を保護すると共に、水中植物の着生基板として機能し、さらに、ポーラスコンクリートＣpから溶出する栄養素等を透過する。
【００７２】
その結果、着生物質の主成分である可溶性石灰やミネラル成分が経時的にポーラスコンクリートＣpから溶出して、水生植物に長期的に栄養補給をすることができる。
【００７３】
水生植物としてのアラメ・クロメ・昆布等の海藻は着生しやすいが、着生しにくい水生植物については、沈設する前に、着生した紡績糸を人工漁礁形成体Ｅに取り付けておくことにより、着生効率の向上を図ることもできる。
【００７４】
図１２は、本発明に係る第２実施形態としての人工漁礁Ｇを示しており、次に、図１２を参照しながら人工漁礁Ｇの構造について説明する。
【００７５】
すなわち、人工漁礁Ｇは、鉄筋コンクリートにより矩形板状に形成した基礎板体Ｋ上に、第３実施形態としての人工漁礁形成体Ｅを多数立設している。
【００７６】
そして、人工漁礁形成体Ｅは、図１３及び図１４に示すように、海藻類や珪藻類等の水生植物を着生させる着生物質をポーラスコンクリートＣpに混練して、ポーラス状の人工漁礁形成片Ｆを矩形筒状に形成し、同人工漁礁形成片Ｆの中芯部に、柱状に形成した支持体Ｈを連設しており、人工漁礁形成片Ｆを形成するポーラスコンクリートＣpの周面は、シート状体Ｓにより被覆している。
【００７７】
また、支持体Ｈの下部には埋設固定部23を延設し、同埋設固定部23を基礎板体Ｋに埋設して、同基礎板体Ｋに支持体Ｈを一体的に立設している。
【００７８】
このようにして、人工漁礁Ｇは、基礎板体Ｋに多数の人工漁礁形成体Ｅを立体的に組み立てることにより、貝化石等の着生物質をポーラスコンクリートＣpに混練してなる人工漁礁形成体Ｅの外部表面積を可及的に広く確保して、水生植物の活着性を良好に確保することができる。
【００７９】
しかも、支持体Ｈに強度と重量を保持させることにより、人工漁礁形成体Ｅを海底等に長期間にわたって安定状態に設置（沈設）することができて、海中での波浪や波のうねりといった外部からの破壊や浸食作用に十分対抗させることができる。
【図面の簡単な説明】
【００８０】
【図１】本発明に係る水生植物着生体の斜視説明図。
【図２】水生植物着生体製造装置の説明図。
【図３】本発明に係る第１実施形態としての人工漁礁形成体の斜視説明図。
【図４】同人工漁礁形成体の製造工程説明図。
【図５】本発明に係る第１実施形態としての人工漁礁の斜視説明図。
【図６】第１変容例としての人工漁礁の斜視説明図。
【図７】本発明に係る第２実施形態としての人工漁礁形成体の斜視説明図。
【図８】同人工漁礁形成体の説明図であり、（ａ）は正面図、（ｂ）は側面図、（ｃ）は平面図。
【図９】同人工漁礁形成体の断面正面図。
【図１０】ポーラスコンクリートの配合割合を示した説明図。
【図１１】同人工漁礁形成体の製造工程説明図。
【図１２】本発明に係る第２実施形態としての人工漁礁の斜視説明図。
【図１３】同人工漁礁の人工漁礁形成体の説明図であり、（ａ）は正面図、（ｂ）は側面図、（ｃ）は平面図。
【図１４】同人工漁礁形成体の断面正面図。
【符号の説明】
【００８１】
Ａ  水生植物着生体
Ｂ  着生物質
Ｃ  コンクリート
Ｄ  接着剤
Ｅ  人工漁礁形成体
Ｆ  人工漁礁形成片
Ｇ  人工漁礁
Ｍ  水生植物着生体製造装置
Ｓ  シート状体
【図１】
2007167061.tif 000003
【図２】
2007167061.tif 000004
【図３】
2007167061.tif 000005
【図４】
2007167061.tif 000006
【図５】
2007167061.tif 000007
【図６】
2007167061.tif 000008
【図７】
2007167061.tif 000009
【図８】
2007167061.tif 000010
【図９】
2007167061.tif 000011
【図１０】
2007167061.tif 000012
【図１１】
2007167061.tif 000013
【図１２】
2007167061.tif 000014
【図１３】
2007167061.tif 000015
【図１４】
2007167061.tif 000016